(57)【要約】  ネブライザ（１）であって、挿入可能な容器（３）及び容器（３）を前後に動かすことができるがこれを分離することができないよう容器（３）をネブライザ（１）内に保持する固定保持手段（３５）を有するネブライザが提案される。固定保持手段（３５）は、金属一体形部品により形成されている。固定保持手段（３５）は、容器（３）をネブライザ（１）の出荷状態ではハウジング内に動くことができないよう保持する輸送ロックを構成する。固定保持手段（３）は、容器（３）を包囲するケージを形成する。
2013511367.tif 000002
【特許請求の範囲】
【請求項１】
流体（２）を収容した挿入可能な容器（３）を有する流体（２）用のネブライザ（１）であって、前記ネブライザ（１）は、ハウジング及び前記容器（３）を前記ハウジング又はそのハウジング部品（１８）内に分離できないよう保持する固定保持手段（３５）を有し、前記容器（３）は、前記流体（２）の運搬中、圧力発生中及び／又は噴霧化中、前記ハウジング内で前後に動くことができるネブライザにおいて、
前記固定保持手段（３５）は、金属及び／又は打抜き加工部品を有し又はから成ると共に／或いは単一の一体形部品から成る、
ことを特徴とするネブライザ。
【請求項２】
前記部品は、ケージ又はリング構造体を形成している、
請求項１記載のネブライザ。
【請求項３】
流体（２）を収容した挿入可能な容器（３）を有する流体（２）用のネブライザ（１）であって、前記ネブライザ（１）は、ハウジング及び前記容器（３）を前記ハウジング又はそのハウジング部品（１８）内に分離できないよう保持する固定保持手段（３５）を有し、前記容器（３）は、前記流体（２）の運搬中、圧力発生中及び／又は噴霧化中、前記ハウジング内で前後に動くことができる好ましくは請求項１又は２記載のネブライザにおいて、
前記固定保持手段（３５）は、前記容器（３）を前記ネブライザ（１）の出荷状態では前記ハウジング内で動くことができないよう保持する輸送ロック（２９）を形成し、前記輸送ロック（２９）は、容器（３）が前記ハウジング内で前後に動くことができるよう開放可能である、
ことを特徴とするネブライザ。
【請求項４】
前記固定保持手段（３５）は、ケージを有し又はから成る、
請求項３記載のネブライザ。
【請求項５】
流体（２）を収容した挿入可能な容器（３）を有する流体（２）用のネブライザ（１）であって、前記ネブライザ（１）は、ハウジング及び前記容器（３）を前記ハウジング又はそのハウジング部品（１８）内に分離できないよう保持する固定保持手段（３５）を有し、前記容器（３）は、前記流体（２）の運搬中、圧力発生中及び／又は噴霧化中、前記ハウジング内で前後に動くことができる好ましくは請求項１〜４のうちいずれか一に記載のネブライザにおいて、
前記ハウジングは、前記容器（３）が前後に動くことができるが、前記ハウジング又はそのハウジング部分（１８）から分離することができないよう且つ／或いは前記容器（３）が前記ネブライザ（１）の出荷状態では動くことができないよう保持されるよう前記容器（３）を保持する固定保持手段（３５）としてケージを有する、
ことを特徴とするネブライザ。
【請求項６】
前記ケージは、前記容器（３）の端部又は下側部分を包囲している、
請求項２、４又は５記載のネブライザ。
【請求項７】
前記固定保持手段（３５）は、保持及び／又はロック要素（３６，３７）を含み、好ましくは、前記保持及び／又はロック要素（３６，３７）は、フィンガ、アーム又は爪のようなものであると共に／或いは少なくとも前記容器（３）の軸方向又は前記容器（３）の運動方向に延びると共に／或いは半径方向に撓曲可能である、
請求項１〜６のうちいずれか一に記載のネブライザ。
【請求項８】
前記容器（３）を出荷状態で固定するロック要素（３７）は、前記ネブライザ（１）の前記ハウジング又は任意他のコンポーネントによって作動可能であり又は好ましくは外方に撓むことができる、
請求項７記載のネブライザ。
【請求項９】
前記固定保持手段（３５）は、前記容器（３）のガス抜き穴（３４）を開放する開放手段を含む、
請求項１〜８のうちいずれか一に記載のネブライザ。
【請求項１０】
前記容器（３）は、前記ネブライザ（１）の出荷状態では依然と閉じられているが、前記出荷状態では前記ネブライザ（１）内に既に収納されており、前記ネブライザ（１）は、流体出口（２４）が前記ネブライザ（１）の最初の使用前又は最初の使用中に前記ネブライザ（１）内で開かれるよう構成されている、
請求項１〜９のうちいずれか一に記載のネブライザ。
【請求項１１】
前記ハウジングは、前記出荷状態では部分的にしか閉じられておらず、前記ネブライザ（１）の使用前又は使用中、完全に閉じられる、
請求項１〜１０のうちいずれか一に記載のネブライザ。
【請求項１２】
前記輸送ロック（２９）は、前記ハウジングを完全に閉じたときに自動的に開かれる、
請求項３又は１０記載のネブライザ。
【請求項１３】
前記ハウジング部品（１８）は、前記出荷状態では部分的にスナップ装着され又は挿入され、前記ハウジング部品（１８）は、前記ハウジングを完全に閉じるために完全にスナップ装着され又は挿入される、
請求項１１又は１２記載のネブライザ。
【請求項１４】
前記ハウジング部品（１８）を前記容器（３）と一緒に交換することができ、前記容器（３）は、前記ハウジング部品（１８）から分離できない、
請求項１〜１３のうちいずれか一に記載のネブライザ。
【請求項１５】
前記固定保持手段（３５）は、前記ハウジング部品（１８）内に配置されている、
請求項１〜１４のうちいずれか一に記載のネブライザ。
【請求項１６】
前記容器（３）は、特に例えば波形部（４５）のような構造体又は前記容器（３）の任意他の形態に起因して前記ネブライザ（１）又はそのハウジングから分離できない、
請求項１〜１３のうちいずれか一に記載のネブライザ。
【請求項１７】
前記ネブライザ（１）は、特にエーロゾル療法用の吸入器として構成されている、
請求項１〜１６のうちいずれか一に記載のネブライザ。
【発明の詳細な説明】
【技術分野】
【０００１】
本発明は、請求項１、３又は５の前提部に記載されたネブライザに関する。
【背景技術】
【０００２】
本発明の一出発点は、国際公開第２００６／１２５５７７（Ａ２）号パンフレットに記載されているネブライザである。このネブライザは、霧状にされ又は噴霧化されるべき流体のためのリザーバとして、流体の入っている内袋を備えた挿入可能な硬質容器及び流体を送り出して噴霧化する駆動ばねを備えた圧力発生器を有している。好ましくは、容器は、取り外しができないよう固定される。この目的のため、ネブライザ又はそのハウジングは、容器を挿入した後ではこれを開けることができないよう設計されている場合がある。
【０００３】
好ましくは、容器は、出荷状態ではネブライザ内にあらかじめ収納される。特に、予備収納容器は、容器の望ましくない開封を回避するために出荷状態ではハウジング内で動くことができない輸送ロックによって保持される。
【０００４】
ネブライザは、最初に使用される前においては完全に閉じられている。予備収納容器は、運搬管がシール及び隔膜を穿刺して容器の内袋に流体結合することにより開封される。さらに、輸送ロックは、容器がネブライザ内で前後に動くことができるよう開放される。
【０００５】
ネブライザの下側ハウジング部品を回すことにより、駆動ばねを張力下に置くことができ、そして流体を圧力発生器の圧縮チャンバ内に吸い込むことができる。それと同時に、容器をネブライザ内のストローク運動の状態で下側ハウジング部分内に動かし、そして、最初に引張り操作すると、容器はそのベースが下側ハウジング部品内に設けられている穿刺要素によって穿孔して容器のガス抜きを可能にするのが良い。ロック要素の手動作動後、駆動ばねを解除し、圧力チャンバ内の流体を駆動ばねによって圧力下に置き、そして推進ガスを使用しないで、エーロゾルとしてノズルを通ってマウスピース中に送り出し又は噴霧化する。
【０００６】
国際公開第２００７／０２２８９８（Ａ２）号パンフレットは、同様なネブライザを開示している。容器をネブライザのハウジング内に挿入することができる。ハウジングは、下側又は底部ハウジング部品によって閉じられている。容器は、噴霧化されるべき流体の運搬中、圧力発生中及び／又は噴霧化中、軸方向に前後に動いている。カウンタ装置をハウジング部品内に配置するのが良い。カウンタ装置は、所定の作動回数に達し又はこれを超えた場合にはそれ以上使用できないようネブライザをロックする。次に、ハウジング部品をカウンタ装置及び容器と一緒に交換するのが良い。容器は、ハウジング部品に分離できないよう連結されるのが良い。
【先行技術文献】
【特許文献】
【０００７】
【特許文献１】国際公開第２００７／０２２８９８（Ａ２）号パンフレット
【発明の概要】
【発明が解決しようとする課題】
【０００８】
しかしながら、国際公開第２００７／０２２８９８（Ａ２）号パンフレットは、容器を分離できないようにハウジング部品に連結し、容器が流体の運搬中、圧力発生中及び／又は噴霧化中にハウジング内で前後に動くことができるようにする簡単且つ安価な構成を記載していない。
【０００９】
本発明の目的は、容器があらかじめ収納されている場合であっても最適化された取り扱い及び／又は簡単な組み立て又は構造のネブライザを提供することにある。
【課題を解決するための手段】
【００１０】
この目的は、請求項１、３又は５記載のネブライザによって達成される。好ましい実施形態は、従属形式の請求項の内容である。
【００１１】
ネブライザは、ハウジング及び容器をハウジング又はそのハウジング部品内に分離できないよう保持する固定保持手段を有し、容器は、流体の運搬中、圧力発生中及び／又は噴霧化中、ハウジング内で前後に動くことができる。これにより、ネブライザの開放が可能になると同時にネブライザのハウジング又はハウジング部品からの容器の分離が阻止される。
【００１２】
本発明の第１の観点によれば、固定保持手段は、金属及び／又は打抜き加工部品を有し又はから成る。これにより、簡単な構造の実現及び特に現行設計への固定保持手段の組み込みが可能である。
【００１３】
本発明の第２の観点によれば、固定保持手段は、単一の一体形部品から成る、これにより、極めて簡単且つ安価な構成が可能である。
【００１４】
本発明の第３の観点によれば、固定保持手段は、容器が流体の運搬中、圧力発生中及び／又は噴霧化中、ハウジング内で前後に動くことができるよう容器をハウジング又はハウジング部品に分離できないよう連結するだけでなく、特にあらかじめ収納された容器が依然として閉じられた状態で容器を出荷状態においてハウジング内で動くことができないよう保持する輸送ロックを形成する。これにより、組み立てが容易になると共に出荷状態での容器の望ましくない開放が回避される。さらに、固定保持手段の多くの機能が構成を単純化する。
【００１５】
追加的に又は代替的に、固定保持手段は、容器のガス抜き穴を開放する開放手段を含む。この追加の機能も又、構成を容易にする。
【００１６】
本発明の第４の観点によれば、ネブライザ又はハウジングは、容器が前後に動くことができるが、ハウジング又はそのハウジング部分から分離することができないよう且つ／或いは容器がネブライザの出荷状態では動くことができないよう保持されるよう容器を保持する固定保持手段としてケージを有する。これにより、簡単な構成が可能である。特に、ケージは、ハウジング又はハウジング部品に対する容器の限られた移動性を可能にすると同時に容器をハウジング又はハウジング部品に分離できないよう連結するうえで理想的である。これにより、非常に簡単且つ安価な構成が可能である。
【００１７】
好ましくは、ネブライザ内に密閉状態の容器が設けられており、ネブライザは、容器をネブライザの最初の使用前又は使用中にネブライザ内で開放するよう構成されていることにある。この基本的な技術的思想を以下、「予備収納容器」ともいう。これは、作動を容易にする。というのは、ネブライザを開き、容器を挿入し、そして容器を閉じる必要がないからである。さらに、容器の挿入時の不正確な取り扱いにより引き起こされるネブライザに対する望ましくない汚れ及び損傷を阻止することができる。したがって、容器が挿入中、誤って挿入され又は違ったやり方で誤使用することが不可能なので良好な作動上の安全性が得られる。
【００１８】
上述すると共に以下において説明する本発明の種々の観点は、互いに別個独立に又は任意の組み合わせで実現可能である。
【００１９】
本発明の別の利点、特徴、性質及び観点は、特許請求の範囲の記載及び図面を参照して幾つかの好ましい実施形態についての以下の説明を読むと明らかになろう。
【図面の簡単な説明】
【００２０】
【図１】非引張作用状態におけるネブライザの概略断面図である。
【図２】引張作用状態におけるネブライザを図１と比較して９０°回転させた状態で示す概略断面図である。
【図３】ハウジングが部分的に閉鎖され、密閉状態の容器があらかじめ収納された出荷状態のネブライザの概略断面図である。
【図４】ハウジングが完全に閉鎖され、容器が開封された作動引張り操作状態にある図３のネブライザの概略断面図である。
【図５】非引張り操作状態にある図４のネブライザの概略断面図である。
【図６】本発明の第１の実施形態としてのネブライザの概略断面図であり、ハウジングが部分的に閉じられ、ハウジング部品内の固定保持手段が容器のネブライザ内に動くことができるよう保持している状態を示す図である。
【図７】固定保持手段の斜視図である。
【図８】関連の容器を動くことができないよう保持する固定保持手段の側面図である。
【図９】ネブライザの一部の概略部分図であり、容器が動くことができるよう固定保持手段が開かれている状態を示す図である。
【図１０】下側ハウジング部品がない状態での出荷状態における本発明の第２の実施形態としてのネブライザの概略断面図である。
【図１１】関連の固定保持手段を備えた図１０のネブライザの容器の斜視図である。
【図１２】図１０のネブライザを作動且つ非引張り操作状態で示す概略断面図である。
【図１３】図１２の部分拡大図である。
【発明を実施するための形態】
【００２１】
図において、同一の参照符号は、同一又は類似の部品について用いられ、対応の又は同等な性質及び利点は、たとえ説明を繰り返さないでも達成される。
【００２２】
図１及び図２は、流体２、特に、効能の高い医薬組成物等を噴霧化する公知のネブライザ１を示しており、このネブライザは、非引張り操作状態（図１）及び引張り操作状態（図２）で概略的に示されている。ネブライザ１は、特に、携帯用吸入器として構成され、好ましくは、機械的に飲み且つ／或いは推進ガスなしで動作する。
【００２３】
流体２、好ましくは液体、特に医薬組成物を噴霧化すると、エーロゾル１４（図１）が生じ、このようなエーロゾルは、ユーザ（図示せず）により吸息又は吸入可能である。通常、吸入は、患者の苦しんでいる病気又は病訴に応じて、好ましくは定められた間隔で１日に少なくとも１回、特に１日に数回行われる。
【００２４】
ネブライザ１は、流体２を収容した挿入可能な容器３を有する。この容器３は、噴霧化されるべき流体２のリザーバを形成している。好ましくは、容器３は、最高２００回の投与単位をもたらし、即ち、最高２００回のスプレー又は塗布を可能にするのに十分な量の流体２又は有効物質を収容している。国際公開第９６／０６０１１（Ａ１）号パンフレットに開示されているような典型的な容器３は、約２〜１０ｍｌの量を収容する。
【００２５】
容器３は、実質的に円筒形又はカートリッジの形状をしており、ネブライザ１をいったん開けると、容器を吸入器内に下から挿入でき、所望ならば交換することができる。この容器は、好ましくは硬質又は剛性構造のものであり、流体２は、特に、容器３内の折り畳み式袋４内に保持される。
【００２６】
ネブライザ１は、流体２を特にあらかじめ設定され、オプションとして調節可能な投与量で運搬して噴霧化する圧力発生器５を有する。圧力発生器５は、好ましくは、容器３のためのホルダ６、駆動ばね７（一部しか示さず）、ばね７を解除するよう手動で操作できるロック要素８、運搬要素、例えば運搬管９、逆止弁１０、圧力チャンバ１１及び／又は流体２をマウスピース中に噴霧化するノズル１２を有している。容器３は、ホルダ６によりネブライザ１内に取り付けられ又は保持されていて、運搬管９が、容器３内に入り込むようになっている。ホルダ６は、容器３を交換することができるよう構成されたものであるのが良い。
【００２７】
駆動ばね７を軸方向に引っ張ると、ホルダ６は、容器３及び運搬管９と共に図面において下方に移動し、流体２は、容器３から吸い出され、逆止弁１０を通って圧力発生器５の圧力チャンバ１１内に吸い込まれる（流体２の運搬（吸引ストローク））。
【００２８】
ロック要素８の作動後における次の弛緩中、圧力チャンバ１１内の流体２は、今や閉鎖状態にある逆止弁１０を備えた運搬管９が駆動ばね７の弛緩により上方に戻され、今や加圧ラム又はピストンとして働いているとき（圧力発生及び／又は噴霧化）、加圧下に置かれる。この圧力により、流体２は、ノズル１２中に送り込まれ、次に、図１に示されているようにエーロゾル１４の状態に噴霧化される。
【００２９】
一般に、ネブライザ１は、流体に加わるばね圧力が５〜２００ＭＰａ、好ましくは１０〜１００ＭＰａであると共に／或いは一ストローク当たりの送り出し流体量が１０〜５０μｌ、好ましくは１０〜２０μｌ、最も好ましくは約１５μｌの状態で動作する。流体２は、エーロゾル１４に変換され又はエーロゾル１４として噴霧化され、このようなエーロゾルの液滴の空気力学径は、最大２０μｍ、好ましくは３〜１０μｍである。好ましくは、発生するジェットスプレーの角度は、２０°〜１６０°、好ましくは８０°〜１００°である。これらの値は、特に好ましい値として本発明の教示に従って構成されるネブライザ１にも当てはまる。
【００３０】
ユーザ（図示せず）は、エーロゾル１４を吸入することができ、その間、少なくとも１つの空気供給開口部１５を通って供給空気をマウスピース１３内に吸い込むことができる。
【００３１】
好ましくは、ネブライザ１を手動で作動させ又は引張り操作することができる。ネブライザ１は、好ましくは、上側ハウジング部品１６及びこの上側ハウジング部品に対して回転可能な内側部品１７を有し（図２）、内側部品は、上側部分１７ａ及び下側部分１７ｂを有し（図１）、他方、特に手動操作可能なハウジング部品（下側ハウジング部品）１８が、好ましくは保持要素１９によってこの内側部品１７に解除自在に取り付けられ、特にこれに装着されている。好ましくは、ハウジング部品１６，１８は、ネブライザ１のハウジングを形成する。容器３を挿入すると共に（或いは）交換するために、ハウジング部分１８をネブライザ１又はそのハウジングから取り外すことができる。
【００３２】
ネブライザ１は、技術の現状と比較してサイズが減少している１つ又は２つ以上の空気供給開口部１５を更に有する。代替的に又は追加的に、後で説明するようにインサート２４をネブライザ１のマウスピース１３内に挿入することができる。
【００３３】
ハウジング部品１８を上側ハウジング部品１６に対して回転させることができ、これに伴って、内側部品１７の部分１７ｂが回転する。その結果、駆動ばね７は、ホルダ６に作用する歯車又は伝動装置（図示せず）によって軸方向に引っ張られる。引張り中、容器３は、容器３が図２に示すような端位置を取るまで軸方向下方に動かされる。この作動又は引張り操作状態では、駆動ばね７は、張力下にある。噴霧化プロセスの際、容器３を駆動ばね７によってその元の位置（図１に示されている非引張り操作位置又は状態）に戻す。容器３は、引張り操作中及び噴霧化プロセス中、持ち上げ又はストローク運動を行う。
【００３４】
ハウジング部分１８は、好ましくは、キャップ状の下側ハウジング部品を形成し、容器３の下方自由端部周りに又はこの上に嵌まっている。駆動ばね７を引っ張ると、容器３は、その端部分と共にハウジング部品１８内へ（更に）動き又はその端面に向かって動き、他方、ハウジング部品１８内に設けられた通気手段、軸方向に作用するばね２０が、容器のベース（底）２１に接触し、容器が最初に穿刺要素１９に接触すると、このばねは、穿刺要素２２により容器３又はこれに設けられたベースシールを穿孔し、空気を取り込み又は通気させることができる。
【００３５】
ネブライザ１は、好ましくはハウジングの上側部品１６に対する内側部品１７の回転を検出することにより、ネブライザ１の作動を計数するモニタ装置２３を有するのが良い。好ましくは、モニタ装置２３は、作動又は放出投与分の或る特定の回数に達し又はこれを超えると、ネブライザ１の作動又は使用を阻止し、例えば、ロック要素８の作動を阻止する。
【００３６】
以下、次に、図３〜図５を参照して吸入器又はネブライザ１の好ましい構成及び作動モードについて説明するが、図１及び図２のネブライザ１との本質的な差についてのみ強調する。図１及び図２に関する説明は、好ましくはそのまま又は類似した仕方で当てはまり、これに対し、図１及び図２のネブライザ１と以下に説明するネブライザ１の特徴の任意所望の組み合わせが可能である。
【００３７】
図３〜図５は、僅かに異なる実施形態としてのネブライザ１を概略断面図で示している。図３は、ネブライザ１を出荷状態で、即ち、依然として密閉された予備収納状態の容器３を備えた状態で示している。この状態では、ネブライザ２のハウジングは、完全には密閉されておらず、特に、ハウジング部品１８は、内側部品１７に完全には押し付けられていない。図４及び図５は、ネブライザ１をハウジングが完全に密閉されると共に容器３が開封された作動及び／又は引張り操作状態で示されている。図４では、ネブライザ１又は駆動ばね７が引張り操作され、即ち、容器３は、その下方位置にある。図５は、ネブライザ１を非引張り状態で、例えば、流体２の１回投与分の送り出し又は放出後の状態で示しており、容器３は、その上方位置にある。
【００３８】
容器３は、図３に示されているように出荷状態ではネブライザ１内に既に設けられ又はあらかじめ収納されている。この状態では、容器３は、依然として密閉されており、即ち、一方において容器３又はその袋４と他方においてネブライザ１若しくはその圧力発生器５又は運搬要素との間には流体結合が存在しない。
【００３９】
容器３は、小出しされるべき流体２を出力する流体出口２４を有している。特に、流体出口２４により、一方において容器３又はその袋４と他方においてネブライザ１、その圧力発生器５又は運搬要素との間の流体結合が可能である。
【００４０】
流体出口２４は、内側クロージャ２５を有し、この内側クロージャは、好ましくは、隔膜、メンブレン、プラスチックシール等で作られると共に／或いは容器３の内部に設けられる。オプションとして、流体入口２４を覆うと共に／或いは閉鎖するために第２の又は外側のクロージャ２６が設けられるのが良い。
【００４１】
好ましくは、クロージャ２５，２６は、１つの共通の要素、特に運搬要素又は運搬管９等によって且つ／或いは穿刺によって連続開放が可能であるように設計されている。
【００４２】
好ましい実施形態では、第１のクロージャ２５と第２のクロージャ２６は、軸方向若しくは容器３のストローク運動の方向又は流体２の主出口方向に対して次々に且つ／或いは間隔を置いて配置されている。
【００４３】
一般に、容器３、流体出口２４又はクロージャ２５若しくはクロージャ２６は、特に、運搬要素、例えば運搬管９等によって且つ／或いは穿刺又は任意他の適当な仕方で開かれる。特に、開放は、容器３をネブライザ１又は運搬要素若しくは管９等に対して動かすと共に／或いは長手方向又は軸方向の運動によって達成される。
【００４４】
好ましくは、第１の又は内側のクロージャ２５は、容器３の出口又はヘッド側端部から容器３又は袋４中に延びるクロージャ部分２７によって形成され又は支持される。第２の又は外側のクロージャ２６は、好ましくは、容器３のヘッド側又は軸方向端部に隣接して配置されると共に／或いはフランジ２８に対して保持され又はこれに連結され、フランジ２８は、クロージャ部分２７又は任意他の適当な部分により形成されるのが良い。しかしながら、他の構成上の手段が採用可能である。
【００４５】
図３の出荷状態では、容器３は、ネブライザ１内にあらかじめ収納され、即ち、挿入されている。しかしながら、容器３又はその流体出口２４はまだ開かれていない。特に、第２のクロージャ２６は、既に開かれているが、第１のクロージャ２５はそうではない。これは、特に、出荷状態では、好ましくは図示の実施形態では、ハウジング部品１８を完全には閉じず又はこれを押すことなく、部分的にしか閉じられておらず、即ち完全には閉じられていないということによって達成される。好ましくは、ハウジング部品１８は、出荷状態では部分的にスナップ装着され又は挿入されているに過ぎない。
【００４６】
特に、容器３は、具体的には好ましくはハウジング部品１８内に配置され又はこのハウジング部品１８のところに配置された輸送ロック２９によってハウジング部品１８に取り付けられ若しくはこれによって保持され又はこの中に固定される。輸送ロック２９は、特にハウジング部品１８をネブライザ１に取り付ける前に且つ／或いは出荷状態において容器３を好ましくは一時的に保持する。特に、輸送ロック２９は、容器３の流体結合中及び／又は容器３の機械的連結中、この場合、ホルダ６によって固定状態に保持する。好ましくは、輸送ロック２９は、容器３の開放中、特にその穿刺中、容器３を固定状態に保持する。
【００４７】
ネブライザ１がユーザの元に輸送し又は送り届けることができ又は依然として包装している出荷状態では、ネブライザ１又はハウジング部品１８は、好ましくは、特に固定部材３０によって固定され、容器３及び／又はハウジング部品１８は、ネブライザ１又は上側ハウジング部品１６から十分に間隔を置いた状態に保持されると共に／或いは運搬要素若しくは管９、ハウジング又は内側ハウジング部品１７等に完全に挿入され又はこれに嵌められることがないように且つ／或いは容器３、即ち、第１のクロージャ２５の開放（完全な開放）が阻止されるようになっている。
【００４８】
図示の実施形態では、固定部材３０は、好ましくは、ハウジング部品１８と上側ハウジング部品１６との間に設けられ、好ましくは、ハウジング部品１６，１８に係合し又はこれらの間に嵌まり、その結果、ハウジング部品又は下側部品１８が上側ハウジング部品１６に対して軸方向に固定され又はこれから十分に遠ざかって又はこれから間隔を置いて維持され若しくは保たれ、それにより密閉された（依然として密閉された）容器３又は第１のクロージャ２５を運搬管９から遠ざかって保持することができるようになっている。
【００４９】
好ましい実施形態では、固定部材３０は、少なくとも実質的に中空であると共に／或いは円筒形であり、ハウジング部品（下側ハウジング部品）１８と上側ハウジング部品１６との間に軸方向に配置される。ネブライザ１を作動させ又はこれを使用可能な状態に準備し、即ち、ハウジング部品１８を十分に軸方向に押し、それにより容器３を開くためには、先ず最初に、固定部材３０を取り外し若しくは解除し又は開かなければならない。図示の好ましい実施形態では、固定部材３０は、例えばプラスチックで作られた小旗のように構成されると共に／或いは手動で開かれ、取り除かれ又は破壊されるのが良い。固定部材３０は、これに変わって又は同時に、出所証印（seal of origin）を形成し又は構成することができる。しかしながら、例えばセキュリティタブ等の形態をした固定部材３０の他の実施形態も又、採用可能である。
【００５０】
好ましくは、容器３及び／又はハウジング部品１８は、出荷状態では確実に又は圧力嵌め若しくはインターロック状態で保持される。これは、好ましい実施形態では、特に容器３とハウジング部品１８との間で働く輸送ロック２９及びハウジング部品１８とネブライザ１のハウジング又は上側ハウジング部品１６との間で働く固定部材３０等によって達成される。しかしながら、輸送ロック２９又は固定部材３０は、一方において容器３と他方においてネブライザ１、そのハウジング、上側ハウジング部品１６、内側ハウジング部品１７又はホルダ６との間で直接働いても良い。
【００５１】
この非作動位置では、ハウジング部品１８は、好ましくは、これがなくなることがないよう、特に、解除することができないよう固定される。この場合、ネブライザ１のハウジング部品又は下側部品１８を最初に軸方向に押して嵌めた（部分的に軸方向に押し嵌めした）後、ネブライザ１のハウジング部品又は下側部品１８をネブライザ１からもはや取り外すことはできず、即ち、ネブライザ１をもはや開くことができず、その結果、容器３を交換することができず、即ち、再び取り外すことができない。
【００５２】
ハウジング部品１８を固定するため、ハウジング部品は、好ましくは、確実に又はインターロック若しくは圧力嵌め状態で保持され又はラッチ止めされる。好ましくは、ハウジング部品１８は、少なくとも１つのラッチ止めラグ３１、突出部、ノーズ等がハウジング部品１８等に設けられた関連のラッチ止め凹部３２に嵌まり込み、それによりハウジング部品１８をインターロック係合により軸方向に取り外すことができないようにすることによって固定される。本実施形態では、ラッチ止めラグ３１は、好ましくは屈曲可能なラッチ止めアーム３３により形成され又はこのようなラッチ止めアーム３３のところに形成されるのが良い。ハウジング部品１８をネブライザ１又はそのハウジング若しくは上側ハウジング部品１６に固定するラチェット状手段が形成される。しかしながら、他の構成上の手段も又、採用可能である。
【００５３】
固定部材３０をいったん取り外すと、ユーザ（図示せず）は、ハウジング部品１８を軸方向に十分に押すことができ、それにより、運搬要素又は運搬管９を挿入して容器３、即ち第１のクロージャ２５を開けることができる。図４及び図５は、ハウジング部品１８が十分に押されると共に／或いは容器３が開いた（ネブライザ１若しくはその圧力発生器５又は運搬要素若しくは管９に流体結合された）この作動状態を示している。この押し込み又は作動状態では、ハウジング部品１８はこの場合も又、好ましくは、インターロック係合により、即ち、軸方向圧力嵌め方式により、特にラッチ止めアーム３３又はラッチ止めラグ３１と対応の別のラッチ止め凹部３２との嵌合により又は他の何らかの機械的固定器具によって固定され又は軸方向に取り付けられる。
【００５４】
図４は、ネブライザ１又は容器３を作動状態で示しており、容器３、即ち第１のクロージャ２５が開いており、即ち、容器３又はその流体２は、ネブライザ１又はその圧力発生器５に流体結合され、ハウジング部品１８は、軸方向に完全に押し込められている。ホルダ６を容器３のヘッド端部と係合（完全係合）関係にして、吸引／引張り及び押し込みストロークのために容器３を後及び／又は前に動かすことができるようにするため、最初にネブライザ１又は管ばね７を引張り操作することが必要な場合がある。この引張り操作プロセス中、ホルダ６を運搬管９と一緒にハウジング部品１８に向かって又はこの中に軸方向に動かし、ホルダ６を容器３と係合（完全係合）関係にすると共に容器３をハウジング部品１８のベースの付近で穿刺要素２２に動かして当て又は押し付け、それにより容器ベース２１に設けられているガス抜き穴３４を穿刺し又は開く。図４は、ネブライザ１をこの引張り操作且つ作動状態で示している。ホルダ６は、容器３に係合し、運搬管９は、容器３内に完全に挿入されている。
【００５５】
図５は、ネブライザ１を弛緩且つ非引張り状態で、即ち、流体２の１回投与分の噴霧化又は放出後の状態で示している。ホルダ６及び容器３は、上方位置にある。ホルダ６は、容器３と依然として係合しており、ネブライザ１の次の使用中、係合状態のままである。さらに、容器３は、依然として開くと共に流体結合されており、即ち、ネブライザ１は、作動状態のままである。
【００５６】
ネブライザ１は、固定部材３０の取り外し及びハウジング部品１８の軸方向押し嵌め（完全軸方向押し嵌め）後に作動され、このようなネブライザ１を図１及び図２に示されたネブライザ１と同じ仕方で使用することができる。容器３の予備収納は、誤った容器３又は使用済みの容器３がユーザによりネブライザ１内に挿入されるのを阻止する。
【００５７】
この場合、好ましくは容器３を取り外すことができないので、特に、ネブライザ１を開くことができず、しかもハウジング部品１８を再び取り外すことができないので、ユーザによる容器３の望ましくない交換及び特にユーザによるネブライザ１の望ましくない臨時の又は次の開放を阻止することができる。
【００５８】
ネブライザ１の出荷状態での容器３、特に第１のクロージャ２５の望ましくない開放を阻止するため、好ましくは輸送ロック２９が設けられる。例えば摩擦係合、強制係合又はインターロック係合により、輸送ロック２９は、例えば輸送中、ネブライザ１の偶発的な落下等が起こった場合に容器３が望ましくないことにネブライザ１内で軸方向に動くのを阻止する。
【００５９】
好ましくは、輸送ロック２９の開放は、ネブライザ１又はそのハウジングを完全に閉じたときに、即ち、ハウジング部品１８を上側ハウジング部品１６に向かって完全にスナップ装着し又は押し嵌めした（押して嵌めた）ときに自動的に起こる。この（軸方向又は入れ子式）閉鎖運動中、輸送ロック２９が開かれ、容器３は、好ましくは運動の最後の部分でのみ且つ／或いは最終の完全に閉じられた位置に達するほんの直前に又は最終の完全に閉じられた位置にちょうど達したときに軸方向に解除される。
【００６０】
ネブライザ１の閉鎖運動により、輸送ロック２９が好ましくは自動的に開けられる。具体的に言えば、輸送ロック２９は、ネブライザ１、内側部品１７又はその下側部分１７ｂ、ばね７を支承した保持リング４３等との直接的若しくは間接的相互作用又はこれらによる作動によって開かれる。好ましくは、容器３及び／又は第１のクロージャ２５は、共通の作動手段、この場合、ネブライザ１若しくはそのハウジング又は下側部品１８の閉鎖運動によって輸送ロック２９と共に開かれる。
【００６１】
図４及び図５は、輸送ロック２９を開放位置で、即ち、容器３が軸方向に自由に動くことができる状態で示している。
【００６２】
好ましくは、非作動状態では、即ち、ハウジング部品１８が完全に押し嵌めされていないとき、ネブライザ１は、圧力発生器５の引張り操作を阻止し、即ち、具体的には上側ハウジング部品１６に対する内側部品１７の回転を阻止するようロックされるのが良い。これは、圧力発生器５が引張り操作状態下にはない出荷状態でネブライザ１を供給する場合に重要であると言える。したがって、吸入器１は、ハウジング部品１８を完全に押し嵌めしたときに内側部品１７を上側ハウジング部品１６に対してだけ回転することができるようバリヤを有するのが良い。代替的に又は追加的に、固定部材３０は、出荷状態での下側部品１８の押し嵌めを阻止するだけでなく、固定部材３０が開かれ、解除され又は取り外されるまで内側部品１７の回転を阻止することができる。
【００６３】
以下において、図５〜図９を参照して吸入器又はネブライザ１の別の観点について詳細に説明し、この場合、図１〜図５のネブライザ１に関する上述の注意事項及び説明が好ましくは対応して又は同様な仕方で当てはまるよう本質的な差についてのみ強調する。
【００６４】
図６は、本発明の第１の実施形態としてのネブライザを非常に概略的な部分断面図で示している。ネブライザ１は、出荷状態からハウジング又はハウジング部品１８が完全には閉じられていない作動状態への移行状態で示されている。ハウジング部品１８は、例えば図３に示されている出荷状態で当初行なわれている程度よりもいっそう内側部品１７に既に押し嵌めされている。したがって、容器３は、図６に示されている状態では既に開かれている。さらに、好ましくはハウジング部品１８を出荷状態では内側部品１７に押し嵌めできないようにする固定部材３０は、図６に示されている状態では既に解除され若しくは開かれ又は取り外されている。
【００６５】
ネブライザ１又はそのハウジングは、容器３が流体２の運搬、圧力発生及び／又は噴霧化のために前後に動くことができるが、ハウジング又はハウジング部品１８から分離できないように且つ／或いは容器３がネブライザ１の出荷状態では動くことができないように保持されるように容器３を保持する固定保持手段３５を有している。
【００６６】
固定保持手段３５は、図６に示されているようにハウジング部品１８のところ又はこの中に配置され又は取り付けられている。
【００６７】
図７は、固定保持手段３５の好ましい実施形態を斜視図で示している。図８は、固定保持手段３５を容器３に連結された状態で示している。
【００６８】
好ましくは、固定保持手段３５は、金属及び／又は打抜き加工部品を含み又はこれから成ると共に／或いは図７に示されているように単一の一体形部品から成る。
【００６９】
好ましくは、固定保持手段３５は、鋼、特にばね鋼で作られる。
【００７０】
好ましくは、固定保持手段３５は、切断、打抜き加工等及び／又は曲げ加工によって板状材料から作られる。
【００７１】
好ましくは、固定保持手段３５又はその一部は、ケージを形成し、特に容器３又はその端部分を包囲する。
【００７２】
好ましくは、固定保持手段３５は、保持要素３６及び／又はロック要素３７を含む。要素３６，３７は、好ましくは、アーム、フィンガ、リーフ等のように設計されている。特に、要素３６，３７は、容器３の周囲にわたって交互に分布して配置されると共に／或いは少なくとも本質的に軸方向に又は容器３の前後運動方向に延びる。
【００７３】
好ましくは、要素３６，３７は、固定保持手段３５のベース３８により保持され又はこれに連結される。
【００７４】
好ましくは、固定保持手段３５又はベース３８は、容器３を穿刺し、即ち、作動且つ引張り操作状態、即ち、容器３がその下方端位置に達したときに、容器ベース２１又はそのガス抜き穴３４を開く穿刺要素２２を有し又は保持する。図示の実施形態では、穿刺要素２２は、固定保持手段３５又はそのベース３８のばね部分３９を曲げることにより形成される。ばね部分３９は、ホルダ６への容器３の連結（完全な又は最終的な連結）を支援し又は容易にすることができる。
【００７５】
固定保持手段３５又はベース３８は、好ましくは、固定保持手段３５をネブライザ１又はハウジング若しくはハウジング部品１８のところ又はこの中に取り付ける少なくとも１つ又は多数の取り付け部分４０を有している。特に、取り付け部分４０は、固定保持手段３５をハウジング部品１８内に押し込むと、ハウジング部品１８の側壁と協働することにより固定保持手段３５を固定することができる。しかしながら、固定保持手段３５、そのベース３８、取り付け部分４０等を複合成形することも又可能である。さらに、固定保持手段３５は、ハウジング部品１８等に任意他の適当な仕方で連結されても良い。
【００７６】
好ましくは、固定保持手段３５は、ネブライザ１、そのハウジング又はハウジング部品３８からの容器３の分離を阻止するだけでなく容器３をネブライザ１の出荷状態ではハウジング内で動くことができないよう保持する輸送ロック２９を形成する。図６及び図８は、この状態又は容器３が固定保持手段３５によって動くことができないように（軸方向に動くことができないように）保持された場合、即ち、輸送ロック２９が閉じられた場合の状況を示している。この状況では、容器３又は容器３の好ましくは半径方向に突き出た端部又は縁部４１は、保持要素３６とロック要素３７との間、特に要素３６，３７のそれぞれ形成され又は曲げられた端部相互間に保持される。
【００７７】
図示の実施形態では、容器端部又は縁部４１は、要素３６，３７の端部分３６ａ，３７ａ相互間に捕捉される。保持要素３６は、縁部４１を掴み又はこの上に延び、ロック要素３７又はその端部分３７ａは、縁部４１又は容器ベース２１を掴み又はこの下に延び、その結果、縁部４１及び容器３は、しっかりと保持され、それによりこの状態で、即ち、固定保持手段３５／輸送ロック２９がロックされた状態で、固定保持手段３５及び関連のハウジング部品１８に対する容器３の軸方向運動が阻止される。
【００７８】
保持要素３６とロック要素３７は、容器３又は縁部４１の周りに交互に分布して配置されている。
【００７９】
好ましくは、保持要素３６の端部分３６ａは、第１の半径方向平面で終端し、ロック要素３７の端部分３７ａは、別の第２の半径方向平面で終端し、この場合、２つの平面は、縁部４１をこれらの間に保持するよう軸方向にずれていると共に／或いは第２の平面は、第１の平面と容器３の下方端位置、ハウジング部品１８の下端部又は穿刺要素２２との間に軸方向に配置される。追加的に又は代替的に、端部分３６ａは、端部分３７ａとは異なる半径（外側半径）上で終端すると共に／或いは端部分３７ａから軸方向に間隔を置いて配置される。
【００８０】
端部分３６ａ及び／又は３７ａは、好ましくは、爪等のような形をしていると共に／或いは好ましくは半径方向内方に延びる。
【００８１】
好ましくは、要素３６及び／又は要素３７は、その自由端部が半径方向外方に位置した状態で撓曲することができる。
【００８２】
例えば、端部分３６ａの端部は、容器３を軸方向力によって固定保持手段３５内に挿入することができ又はこれに連結することができるよう傾けられているのが良く、その結果、保持要素３６は、縁部４１の通過を可能にするよう外方に撓曲する。しかしながら、保持要素３６は、容器３を特にその縁部４１を固定保持手段３５内に挿入するときに適当な工具（図示せず）等により外方に撓曲可能であっても良い。
【００８３】
好ましくは、保持要素３６は、固定保持手段３５からの及び関連のハウジング部品１８等からの容器３の分離を阻止する。
【００８４】
ロック要素３７又はその端部分３７ａは、軸方向保持又は輸送ロック２９を開くために半径方向外方に撓曲可能である（これについては、以下において図９を参照して詳細に説明する）。次に、容器３を軸方向に、特に前後に動かすことができると共に／或いはその縁部４１が本実施形態では、第１の平面と穿刺要素２２との間に位置した状態で動かすことができる。
【００８５】
本実施形態では、ロック要素３７は、作動部分３７ｂ（好ましくは、自由端部のところ及び／又は隣り合う端部分３７ａ相互間に形成される）を有する。好ましくは、作動部分３７ｂは、半径方向にずれるのが良い軸方向延長部を形成する。作動部分３７ｂは、ネブライザ１の関連制御部材４２又は多数の制御部材４２と協働してロック要素３７がハウジングの閉鎖（完全閉鎖）に半径方向外方に撓曲されて輸送ロック２９（この場合、主として、ロック要素３７又はその端部分３７ａで形成されている）を開くようにする。
【００８６】
図６は、ハウジングをまだ閉じていない（完全には閉じていない）ときに関連の作動部分３７ｂから軸方向に間隔を置いて位置した制御部材４２を概略的に示している。
【００８７】
図９は、輸送ロック２９が開かれた状態の、即ち、ロック要素３７が半径方向外方に撓曲した状態の完全に閉じられたネブライザ１の下側部分を示している。図９は、特にハウジングが完全に閉じられたとき又はハウジング部品１８がネブライザ１に完全に押し嵌めされたとき、制御部材４２が軸方向閉鎖運動を作動部分３７ｂ及び関連ロック要素３７の半径方向開放運動に変換して輸送ロック２９を開いている状態を示している。
【００８８】
制御部材４２は、好ましくは、軸方向突出部として形成される。制御部材は、リング４３又は駆動ばね７を内側部品１７内に収納支承するネブライザ１の任意他の支承手段によって若しくはこのところに又はネブライザ１の任意他の適当なコンポーネント、例えば内側部品１７によって若しくはこのところに形成されるのが良い。
【００８９】
制御部材４２は、リング４３に沿って延びる軸方向突出リング、肩又は出張りのように形成されても良い。
【００９０】
制御部材４２は、さらに、ハウジングが図９に概略的に示されているように完全に閉じられたときに保持要素３６が軸方向に開くことがないようにするのが良い。この場合、制御部材４２は、保持要素３６又はその端部分３６ａの周辺方向外側に接触して外方への撓曲を阻止する。この場合、固定保持手段３５又はその保持要素３６は、開くことがないようになり、その結果、容器３は、固定保持手段３５又は固定保持手段３５若しくは保持要素３６により形成されたケージ内にしっかりと保持される。
【００９１】
図９は、穿刺要素２２がガス抜き穴３４又は容器ベース２１に取り付けられた関連のシールを穿刺することができる場合に容器３をその下方位置で示している。
【００９２】
本実施形態では、固定保持手段３５は、多数の機能を有する。固定保持手段３５は、容器３が特に流体２の運搬中、圧力発生中及び／又は噴霧化中、前後に動くことができるよう容器３を保持し（作動状態／ハウジングが完全に閉じられた状態で）、この場合、容器３は、ハウジング又はハウジング部品１８から分離できない。さらに、固定保持手段３５は、輸送ロック２９を形成すると共に／或いは容器３をネブライザ１の出荷状態では動かないよう保持する。追加的に又は代替的に、固定保持手段３５は、容器３のガス抜き穴３４を開く開放手段、この場合、穿刺要素２２を有する。
【００９３】
好ましくは、固定保持手段３５は、容器３への連結後においては容器３から分離できないケージを形成する。
【００９４】
輸送ロック２９及びロック要素３７は、ネブライザ１の通常の使用中、特にハウジングが閉じられている（完全に閉じられている）限り、開き状態に保持される。ハウジングが開かれると、即ち、ハウジング部品１８が取り外されると、制御部材４２は、作動部分３７ｂから離脱することができ、その結果、ロック要素３７は、閉鎖し又は再び内方に撓曲することができる。すると、ロック要素３７は、その端部分３７ａが容器３の縁部４１上に位置した状態で掴むことができ、その結果、容器３を固定保持手段３５／ハウジング部品１８から分離することができるのを阻止する追加のロックが形成されるようになっている。
【００９５】
固定保持手段３５は、ハウジング部品１８からの容器３の分離を阻止する。したがって、ハウジング部品１８をネブライザ１又は内側部品１７から完全に取り外すことができる場合、容器３は、ハウジング部品１８と一緒にしか置き換え又は交換することができない。また、しかしながら、ネブライザ１を開くことができないようにすることが可能である。この場合、容器３を交換することができない。
【００９６】
以下において、図１０〜図１３を参照して本発明のネブライザ１及び固定保持手段３５の第２の実施形態について説明する。上述の注意事項及び説明は、対応し又は同様な仕方で当てはまる。本質的な差についてのみ又は第２の実施形態の新たな観点についてのみ詳細に説明する。
【００９７】
図１０は、出荷状態にある第２の実施形態としてのネブライザ１を概略断面図で示している。ハウジング部品１８は省かれている。
【００９８】
第２の実施形態では、固定保持手段３５は、ネブライザ１のハウジングの取り外し不能部品のところに又はこの中に配置され又は収納され、特に上側ハウジング部品１６又は内側部品１７のところ又はこの中に配置され又は収納されている。特に、固定保持手段３５は、好ましくは内側部品１７の下端部のところのリング４３又は任意他の適当なコンポーネントのところ又はこの中に配置され又は設けられている。図示の実施形態では、固定保持手段３５は、少なくとも主としてリング４３と容器３との間に配置されている。しかしながら、他の構成上の手段が採用可能である。
【００９９】
図１１は、出荷状態にある容器３及び関連の固定保持手段３５を斜視図で示している。図示の第２の実施形態では、固定保持手段３５は、好ましくはフィンガ状又はリーフ（葉）状である多数の保持要素３６の構成体を形成している。保持要素３６は、容器３の周囲に沿ってぐるりと環状に配置されると共に／或いは固定保持手段３５のリング部分４４に連結されている。具体的に説明すると、保持要素３６は、リング部分４４の内縁部に連結された状態で軸方向上方に、即ち、容器の挿入方向に又はネブライザ１内に延びている。保持要素３６は、容器３に押し付けられると共に／或いは容器３に対して半径方向内方に傾けられている。
【０１００】
固定保持手段３５又は図示の実施形態ではリング部分４４及び関連保持要素３６により形成された固定リングは、固定保持手段３５又は固定リングをネブライザ１、そのハウジング若しくは内側部品１７、特に駆動ばね７を当接支承したリング４３のところに固定する好ましくは固定部分４０を有する。固定部分４０は、好ましくはリング部分４４から軸方向に延びていて、その自由端部のところが半径方向外方に傾斜しており、その結果、リング４３との押し込み嵌め係合が可能になっている（リング４３は、好ましい実施形態では、リング部分４４と固定部分４０の自由端部との間に軸方向に保持されている）。固定保持手段３５又は固定リングをリング４３のところにしっかりと固定することができる。しかしながら、他の構成上の手段も又採用可能である。
【０１０１】
注目されなければならないこととして、固定保持手段３５又は固定リングは、第１の実施形態に関して上述したように金属及び／又は打抜き加工部品及び／又は単一の一体形部品を有し又はから成る。
【０１０２】
固定保持手段３５又は固定リングの保持要素３６は、好ましくは、容器３上に形成され又は容器３によって形成された係合手段と協働して容器３が前後に動くことができるが、ハウジング又はネブライザ１から分離することができず且つ／或いは輸送ロック２９が形成されると共に／或いは容器３がネブライザ１の出荷状態では動くことができない（軸方向に動くことができない）ように保持されるようになっている。
【０１０３】
図示の実施形態では、容器３は、係合手段として少なくとも１つ、この場合２つの半径方向肩、突出部又は波形部４５を有している。波形部４５は、好ましくは、容器３の外周部に設けられた好ましくはリング状のウェブ等を形成すると共に／或いは特に保持要素３６が波形部４５相互間に嵌まり込むことができるよう軸方向に間隔を置いて配置されている。
【０１０４】
係合手段又は波形部４５は、好ましくは、容器３上に配置され又は形成されていて、保持要素３６が出荷状態では図１０及び図１１に概略的に示されているように特に２つの波形部４５相互間に嵌まり込んで容器３が容器３の完全な挿入及び／又は容器３又はその第１のクロージャ２５の望ましくない開放を回避するよう軸方向に保持されるようになっている。
【０１０５】
特に、上側波形部４５は、容器３をネブライザ１から取り外すことができるのを阻止し、その理由は、保持要素３６がこの波形部４５に打ち勝つことができず又は乗り越えることができないからである。固定保持手段３５は、容器３の交換を完全に阻止する。逆方向においては、下側波形部４５は、保持要素３６の障害又は抵抗となり、その結果、容器３は、出荷状態ではそれ以上挿入できないようになっており、即ち、この波形部４５は、固定保持手段３５又はその保持要素３６と協働して輸送ロック２９を形成している。しかしながら、この障害又は抵抗に十分に大きな力で、例えば、ハウジングを手動で閉じ又は容器３を手動で挿入することにより打ち勝つことができ、即ち、輸送ロック２９を開くことができる。というのは、保持要素３６は、半径方向外方に撓むことができ、その結果、下側波形部４５が通すことができ、容器３を一段と挿入することができ、即ち、図１０において上方に動くことができるようになるからである。
【０１０６】
波形部４５は、特に出荷状態における容器３のしっかりとした保持を実現するために必要に応じて又は所望に応じて軸方向又は周方向配置場所、形態、半径方向広がり、勾配、寸法等が様々であって良く、力は、容器３をそれ以上挿入して開くときに打ち勝つ必要がある観点において大きすぎることはない。
【０１０７】
図１２は、容器３が完全に挿入され、即ち、容器３が完全に開かれた状態の作動状態に（輸送ロック２９が開かれた状態にある）ネブライザ１が或る状況を示している。容器３は、ホルダ６に連結されている。駆動ばね７は、引っ張られておらず、即ち、図１２は、ネブライザを非引張り操作状態で示している。
【０１０８】
図１３は、固定保持手段３５の付近の図１２の部分拡大図である。この状態では、容器３は、本質的に、ネブライザ１の使用中、固定保持手段３５に対して軸方向前後に自由に動くことができる。しかしながら、保持要素３６は、容器３をネブライザ１から分離しようとしたときに係合手段、この場合、先ず最初に下側波形部４５に係合することになる。２つの波形部４５は、容器３を完全に挿入した後又は固定保持手段３５又は保持要素３６が下側波形部４５を通過した後、容器３の分離を阻止する二重の安全性を提供する。
【０１０９】
一般的に言って、提案対象のネブライザ１では、容器３は、好ましくは、ネブライザ１内に挿入可能であり、即ち、組み込み可能であることは指摘されるべきである。その結果、容器３は、好ましくは、別個のコンポーネントである。しかしながら、容器３は、理論的には、ネブライザ１又はネブライザ１の一部によって直接形成されても良く、或いは、違ったやり方でネブライザ１に組み込まれても良い。
【０１１０】
上述したように、上述の実施形態の個々の特徴、観点及び原理は又、所望に応じて互いに組み合わせ可能であり、これらを特に図１及び図５の公知のネブライザに使用するのが良いが、同様な又は異なるネブライザにも使用できる。
【０１１１】
自立型機器等とは異なり、提案対象のネブライザ１は、好ましくは、携帯可能であるよう設計され、特に、可搬式の手操作型器具である。
【０１１２】
しかしながら、提案した解決手段を本明細書において具体的に説明したネブライザ１だけでなく、他のネブライザ又は吸入器、例えば粉末吸入器又はいわゆる計量投与型吸入器にも利用できる。
【０１１３】
好ましくは、流体２は、上述したように液体、特に水性調合薬である。しかしながら、流体は、他の何らかの調合薬、サスペンション等であっても良い。
【０１１４】
変形実施形態によれば、流体２は、粒子又は粉末を更に含んでいても良い。この場合、噴出ノズル１２ではなく、他の何らかの種類の供給装置、特に、流体又は粉末等をマウスピース１３内に供給する噴出開口部（図示せず）又は供給チャネル（図示せず）が設けられるのが良い。オプションとしての給気開口部１５は、この場合、大気を好ましくは並列に供給してマウスピース１３を介する吸息又は吸入に十分な量の空気流を発生させ又はその実現を可能にするのに役立つ。
【０１１５】
必要ならば、流体２は、推進ガスによって霧状にされても良い。
【０１１６】
好ましくは医療用の流体２の好ましい成分及び／又は調合薬は、国際公開第２００９／０４７１７３（Ａ２）号パンフレットに列記されており、この国際公開を参照により引用し、その記載内容を本明細書の一部とする。上述したように、これらは、水性又は非水性溶液、混合物、エタノールを含み又は溶剤のない調合薬等であって良い。
【符号の説明】
【０１１７】
１  ネブライザ
２  流体
３  容器
４  袋
５  圧力発生器
６  ホルダ
７  駆動ばね
８  ロック要素
９  運搬管
１０  逆止弁
１１  圧力チャンバ
１２  ノズル
１３  マウスピース
１４  エーロゾル
１５  空気供給開口部
１６  上側ハウジング部品
１７  内側部品
１７ａ  内側部品の上側部分
１７ｂ  内側部品の下側部分
１８  ハウジング部品（下側部品）
１９  保持要素
２０  ばね
２１  容器ベース
２２  穿刺要素
２３  モニタ装置
２４  流体出口
２５  第１のクロージャ
２６  第２のクロージャ
２７  クロージャ部分
２８  フランジ
２９  輸送ロック
３０  固定部材
３１  ラッチ止めラグ
３２  ラッチ止め凹部
３３  ラッチ止めアーム
３４  通気穴
３５  固定保持手段
３６  保持要素
３６ａ  端部分
３７  ロック要素
３７ａ  端部分
３７ｂ  作動部分
３８  ベース
３９  ばね部分
４０  取り付け部分
４１  縁部
４２  制御部材
４３  リング
４４  リング部分
４５  波形部
【図１】
2013511367.tif 000003
【図２】
2013511367.tif 000004
【図３】
2013511367.tif 000005
【図４】
2013511367.tif 000006
【図５】
2013511367.tif 000007
【図６】
2013511367.tif 000008
【図７】
2013511367.tif 000009
【図８】
2013511367.tif 000010
【図９】
2013511367.tif 000011
【図１０】
2013511367.tif 000012
【図１１】
2013511367.tif 000013
【図１２】
2013511367.tif 000014
【図１３】
2013511367.tif 000015
【国際調査報告】
2013511367.tif 000016
2013511367.tif 000017
2013511367.tif 000018
2013511367.tif 000019